(57)【要約】【課題】携帯情報端末に固有情報を設定する設定時間の削減が可能な携帯情報端末固有情報設定システムを提供する。【解決手段】固有情報の転送要求が携帯情報端末１００のＲＦリーダライタ１０５によりＲＦタグ２０３に書き込まれたことを、固有情報提供装置２００のＲＦリーダライタ２０５の定期的な読み取り動作によって判別すると、メモリ部２０４にあらかじめ定めたデータフォーマットで保存されている固有情報をＲＦタブ２０３に書き込む。転送要求元の携帯情報端末１００は、固有情報の転送要求をＲＦタグ２０３に書き込んだ後、ＲＦリーダライタ１０５によりＲＦタグ２０３のデータをあらかじめ定めた周期で定期的に読み取っており、ＲＦタブ２０３に要求した固有情報が書き込まれたことを判別した時点で、該固有情報を当該携帯情報端末１００に設定して、以降、設定した固有情報に基づいて動作する。【選択図】図１
2009055505.tif 000002
【特許請求の範囲】
【請求項１】
設定された固有情報に基づいて動作モードが決定される携帯情報端末と、該携帯情報端末に設定する前記固有情報をメモリ部にあらかじめ定めたデータフォーマットに基づいてあらかじめ保存している固有情報提供装置とから構成される携帯情報端末固有情報設定システムにおいて、前記固有情報提供装置は、前記携帯情報端末から前記固有情報の転送要求を受け取った際に、前記メモリ部に保存した前記固有情報を、要求元の前記携帯情報端末に転送することを特徴とする携帯情報端末固有情報設定システム。
【請求項２】
前記固有情報の転送要求が要求元の前記携帯情報端末を識別可能な情報を含む形式であり、前記固有情報提供装置は、前記固有情報の転送要求を受け取った際に、要求元の前記携帯情報端末が前記固有情報の転送が許可された携帯情報端末であるか否かを判別し、許可された携帯情報端末であった場合に、前記固有情報を要求元の前記携帯情報端末に転送することを特徴とする請求項１に記載の携帯情報端末固有情報設定システム。
【請求項３】
前記固有情報提供装置は、ＲＦタグと該ＲＦタグのデータを読み書きするＲＦリーダライタとを備え、かつ、前記携帯情報端末は、前記ＲＦタグのデータを読み書きする端末側ＲＦリーダライタを備え、前記携帯情報端末が、前記固有情報の転送要求を行う際に、前記端末側ＲＦリーダライタによって該固有情報の転送要求を前記ＲＦタグに書き込み、前記固有情報提供装置は、あらかじめ定めた一定周期で、前記ＲＦタグのデータを前記ＲＦリーダライタによって読み取る動作を行うことにより、前記携帯情報端末からの前記固有情報の転送要求があったことを判別することを特徴とする請求項１または２に記載の携帯情報端末固有情報設定システム。
【請求項４】
前記固有情報提供装置は、前記携帯情報端末からの前記固有情報の転送要求があったことを判別した際に、あるいは、さらに、転送要求元の前記携帯情報端末が前記固有情報の転送が許可された携帯情報端末であった場合、前記メモリ部にあらかじめ定めたデータフォーマットに基づいて保存されていた前記固有情報を読み出して、前記ＲＦリーダライタによって前記ＲＦタグに書き込むことにより、前記固有情報を要求元の前記携帯情報端末に転送可能な状態とすることを特徴とする請求項３に記載の携帯情報端末固有情報設定システム。
【請求項５】
前記携帯情報端末は、あらかじめ定めた一定周期で、前記ＲＦタグのデータを前記端末用ＲＦリーダライタによって読み取る動作を行うことにより、前記固有情報が前記ＲＦタグに書き込まれているか否かを判別し、書き込まれていた場合に、該固有情報を当該携帯情報端末に設定することを特徴とする請求項４に記載の携帯情報端末固有情報設定システム。
【請求項６】
前記固有情報として、前記携帯情報端末が通信クレードルを用いた通信を行うか否かを決定する情報を、少なくとも含むことを特徴とする請求項１ないし５のいずれかに記載の携帯情報端末固有情報設定システム。
【請求項７】
設定された固有情報に基づいて動作モードが決定される携帯情報端末であって、前記固有情報をあらかじめ定めたデータフォーマットに基づいてあらかじめ保存している固有情報提供装置に対して、前記固有情報の転送要求を行うことにより、前記固有情報提供装置から転送された前記固有情報を設定することを特徴とする携帯情報端末。
【請求項８】
前記固有情報の転送要求が要求元の識別が可能な情報を含む形式であることを特徴とする請求項７に記載の携帯情報端末。
【請求項９】
前記固有情報提供装置のＲＦタグのデータを読み書きする端末側ＲＦリーダライタを備え、該端末側ＲＦリーダライタによって前記ＲＦタグに前記固有情報の転送要求を書き込むことにより、前記固有情報提供装置に前記固有情報の転送を要求することを特徴とする請求項７または８に記載の携帯情報端末。
【請求項１０】
あらかじめ定めた一定周期で、前記ＲＦタグのデータを前記端末用ＲＦリーダライタによって読み取る動作を行うことにより、前記固有情報が前記ＲＦタグに書き込まれているか否かを判別し、書き込まれていた場合に、該固有情報を当該携帯情報端末に設定することを特徴とする請求項９に記載の携帯情報端末。
【請求項１１】
設定された固有情報に基づいて動作モードが決定される携帯情報端末から、前記固有情報をあらかじめ定めたデータフォーマットに基づいてあらかじめ保存している固有情報提供装置に対して、前記固有情報の転送要求を行うことにより、前記固有情報提供装置から転送された前記固有情報を前記携帯情報端末に設定することを特徴とする携帯情報端末固有情報設定方法。
【請求項１２】
前記固有情報の転送要求が要求元の前記携帯情報端末を識別可能な情報を含む形式であり、前記固有情報提供装置が、前記固有情報の転送要求に基づいて要求元の前記携帯情報端末が前記固有情報の転送が許可された携帯情報端末であるか否かを判別し、許可された携帯情報端末であった場合に、前記固有情報を要求元の前記携帯情報端末に転送することを特徴とする請求項１１に記載の携帯情報端末固有情報設定方法。
【請求項１３】
前記固有情報提供装置はＲＦタグを備え、前記携帯情報端末は、前記固有情報の転送要求を前記ＲＦタグに書き込み、前記固有情報提供装置は、あらかじめ定めた一定周期で、前記ＲＦタグのデータを読み取る動作を行うことにより、前記携帯情報端末からの前記固有情報の転送要求があったことを判別することを特徴とする請求項１１または１２に記載の携帯情報端末固有情報設定方法。
【請求項１４】
前記固有情報提供装置は、前記携帯情報端末からの前記固有情報の転送要求があったことを判別した際に、あるいは、さらに、転送要求元の前記携帯情報端末が前記固有情報の転送が許可された携帯情報端末であった場合、あらかじめ定めたデータフォーマットに基づいて保存されていた前記固有情報を前記ＲＦタグに書き込むことにより、要求元の前記携帯情報端末に前記固有情報を転送可能な状態とすることを特徴とする請求項１３に記載の携帯情報端末固有情報設定方法。
【請求項１５】
前記携帯情報端末は、あらかじめ定めた一定周期で、前記ＲＦタグのデータを読み取る動作を行うことにより、前記固有情報が前記ＲＦタグに書き込まれているか否かを判別し、書き込まれていた場合に、該固有情報を当該携帯情報端末に設定することを特徴とする請求項１４に記載の携帯情報端末固有情報設定方法。
【請求項１６】
請求項１１ないし１５のいずれかに記載の携帯情報端末固有情報設定方法を、コンピュータにより実行可能なプログラムとして実施していることを特徴とする固有情報設定プログラム。
【請求項１７】
請求項１６に記載の固有情報設定プログラムを、コンピュータにより読み取り可能な記録媒体に記録していることを特徴とするプログラム記録媒体。
【発明の詳細な説明】
【技術分野】
【０００１】
本発明は、携帯情報端末固有情報設定システム、携帯情報端末、携帯情報端末の固有情報設定方法、固有情報設定プログラムおよびプログラム記録媒体に関する。
【背景技術】
【０００２】
携帯電話端末やＰＨＳ端末やＰＤＡ（Personal  Digital  Assistant）や携帯型ノートＰＣなどの携帯情報端末の分野において、ＲＦＩＤ（Radio  Frequency  Identification）の情報を使用した携帯情報端末システムの一例が、特許文献１の特開２００６−４１６３９号公報「携帯端末装置」に記載されている。該特許文献１の技術は、携帯情報端末内の電池に付与されたＲＦタグと充電クレードルのＲＦタグとを比較して、一致した場合に充電するための電力供給を行うというシステムであるが、携帯情報端末の固有情報（例えば、音声電話の発着信、メールの送受信、Ｗｅｂページの閲覧、特定アプリケーションの動作などの可否を示す制御情報）を該携帯情報端末に設定することについては考慮されていない。
【０００３】
また、特許文献２の特開２００６−２６２１１３号公報「携帯端末機能設定システムおよび携帯端末機能設定方法」には、或る携帯情報端末からＲＦタグに転送した固有情報（例えば、音声／メールの発着信やＷｅｂ接続を禁止するオフラインモードのオン／オフに関する情報）を、他の携帯情報端末のＲＦリーダライタで読み取って該固有情報を設定するという技術が記載されているが、ＲＦタグへの書き込みデータのデータフォーマットに関する記載はなく、一般に、両者の携帯情報端末が異なる種類の場合には、異なる形式の固有情報がＲＦタグに書き込まれている場合が多いため、他の携帯情報端末での固有情報の設定ミスを招いたり、利用することができない書き込みデータであったりして、利用することが困難となる場合が多い。
【特許文献１】特開２００６−４１６３９号公報（第３−４頁）
【特許文献２】特開２００６−２６２１１３号公報（第７−１０頁）
【発明の開示】
【発明が解決しようとする課題】
【０００４】
一般に、携帯情報端末を使ったシステムを導入する際には、携帯情報端末の動作モードを決定する固有情報として、通信動作モードの設定やアプリケーションの動作モードの設定など、各携帯情報端末に対して固有の情報を設定する必要がある。ここで、固有情報の設定は、当該携帯情報端末のユーザが手入力により行うことが一般的であり、ユーザが所持する携帯情報端末の台数が増加するにしたがって、各携帯情報端末へ固有情報を設定する時間が掛かるばかりではなく、或る携帯情報端末への固有情報の設定に失敗した場合に、設定済みになっていたその他の携帯情報端末についても、固有情報の設定内容を確認するための時間が掛かってしまうという課題があった。
【０００５】
さらに、前記特許文献１や前記特許文献２のように、ＲＦタグを利用するシステムにおいても、携帯情報端末への固有情報の設定に手間が掛かるという問題を解消することができない。
【０００６】
本発明は、かかる問題を解決するためになされたものであり、携帯情報端末にＲＦＩＤリーダライタを搭載し、あらかじめ定めたデータフォーマットにしたがって固有情報（つまり携帯情報端末の動作モードを決定する制御情報）が設定されたＲＦタグを読み取ることにより、如何なる種類の端末であっても、それぞれの携帯情報端末への固有情報の設定を、自動的に、かつ、確実に行うことを可能とし、もって、ユーザが手入力で設定する場合に比し、設定に要する手間を大幅に削減するとともに、固有情報の設定に失敗した場合であっても、ＲＦタグ内にあらかじめ定めたデータフォーマットにしたがって設定されている固有情報によって、固有情報の設定内容を確認して、携帯情報端末に再度設定することを可能にして、確認時間を確実に削減することができ、さらには、不正利用を排除可能な形態で設定することができる携帯情報端末固有情報設定システム、携帯情報端末、携帯情報端末の固有情報設定方法、固有情報設定プログラムおよびプログラム記録媒体を提供することを目的とする。
【課題を解決するための手段】
【０００７】
前述の課題を解決するため、本発明による携帯情報端末固有情報設定システム、携帯情報端末、携帯情報端末の固有情報設定方法、固有情報設定プログラムおよびプログラム記録媒体は、次のような特徴的な構成を採用している。
【０００８】
（１）設定された固有情報に基づいて動作モードが決定される携帯情報端末と、該携帯情報端末に設定する前記固有情報をメモリ部にあらかじめ定めたデータフォーマットに基づいてあらかじめ保存している固有情報提供装置とから構成される携帯情報端末固有情報設定システムにおいて、前記固有情報提供装置は、前記携帯情報端末から前記固有情報の転送要求を受け取った際に、前記メモリ部に保存した前記固有情報を、要求元の前記携帯情報端末に転送する携帯情報端末固有情報設定システム。
【発明の効果】
【０００９】
本発明の携帯情報端末固有情報設定システム、携帯情報端末、携帯情報端末の固有情報設定方法、固有情報設定プログラムおよびプログラム記録媒体によれば、次のような効果を奏することができる。
【００１０】
第１の効果は、携帯情報端末に固有情報を設定する設定時間を削減することができることにある。その理由は、固有情報提供装置のメモリ部にあらかじめ定めたデータフォーマットに基づいて保存した固有情報データをＲＦタグに書き込み、書き込まれたＲＦタグの固有情報データを携帯情報端末側へ読み取ることにより、一度に、かつ、確実に、携帯情報端末に固有情報を設定することが可能なためである。
【００１１】
第２の効果は、携帯情報端末への固有情報の設定ミスを削減することができることにある。その理由は、携帯情報端末の種類の如何を問わず、固有情報を同じデータフォーマットで固有情報提供装置のメモリ部にあらかじめ設定しておき、要求された際に、メモリ部から該同一データフォーマットの固有情報データをＲＦタグに書き込むことにより、該ＲＦタグのデータを携帯情報端末が読み取って、当該携帯情報端末に設定することができるので、常に、ユーザは同一フォーマットにしたがってＲＦタグに設定することが可能なためである。
【００１２】
第３の効果は、携帯情報端末の動作モードの不正な設定を防止することができることにある。その理由は、固有情報の転送要求に要求元の携帯情報端末を識別可能な情報を含んでおり、固有情報提供装置側にて、転送要求を受け付けて固有情報の転送が許可された携帯情報端末であるか否かを判別することができるためである。
【００１３】
したがって、例えば、固有情報として通信クレードルを利用した通信を行うか否かを決定する通信設定情報を設定する場合、固有情報提供装置側にて、携帯情報端末にあらかじめ設定されている通信設定用の要求データ情報を受け取った際に、固有情報提供装置に通信モードの切り替えを許可する端末としてあらかじめ登録されている携帯情報端末の要求データ情報と、ＲＦタグを介して、比較することにより、通信モードの設定が許可された携帯情報端末か否かを判別して、通信の切り替えを許可するか否かを判断することができ、もって、不正な設定動作を防止することができる。
【発明を実施するための最良の形態】
【００１４】
以下、本発明による携帯情報端末固有情報設定システム、携帯情報端末、携帯情報端末の固有情報設定方法、固有情報設定プログラムおよびプログラム記録媒体の好適実施形態例について添付図を参照して説明する。
【００１５】
（実施形態の構成）
まず、本発明の実施形態の構成について、その一例を、図１を参照して詳細に説明する。図１は、本発明に係る携帯情報端末固有情報設定システムの一実施形態の構成例を示すシステム構成図である。図１に示す携帯情報端末固有情報設定システム１は、１ないし複数の携帯情報端末１００と固有情報提供装置２００とから構成されている。
【００１６】
図１において、携帯情報端末１００は、制御ユニット１０１、表示部１０２、入力部１０３、メモリ部１０４、ＲＦリーダライタ１０５、外部通信Ｉ／Ｆ（Interface）部１０６を少なくとも含んで構成されている。つまり、携帯情報端末１００は、図示していないが、電源ユニットや外部インターフェース部など、本発明に直接関係しない回路部も含んで構成されている。
【００１７】
携帯情報端末１００の制御ユニット１０１は、当該携帯情報端末１００の各回路部と接続され、当該携帯情報端末１００全体の動作を制御する機能を有する。
【００１８】
携帯情報端末１００の表示部１０２は、各種情報を表示する１ないし複数のＬＥＤ（発光ダイオード）を備えるとともに、タッチパネルにて操作可能な画面を備えている。入力部１０３は、１ないし複数の操作ボタンによって構成され、該操作ボタンの操作により情報を入力することが可能な機能を有している。メモリ部１０４は、固有情報提供装置２００から読み取った固有情報データ（つまり、当該携帯情報端末１００の動作モードを決定するための制御情報）を格納する機能を有している。ただし、メモリ部１０４の記憶領域に記憶することができるデータはこの限りではなく、固有情報以外のデータを格納することも可能である。
【００１９】
また、携帯情報端末１００のＲＦリーダライタ１０５は、当該携帯情報端末１００に近接した位置にある外部のＲＦタグと近接通信する機能を有する端末側ＲＦリーダライタであり、図１の固有情報提供装置２００のＲＦタグ２０３と無線通信を行い、携帯情報端末１００へ設定すべき固有情報を取得する機能を有している。また、外部通信Ｉ／Ｆ部１０６は、無線ＬＡＮなどの外部機器と通信する機能を有しているが、本実施形態においては、如何なる通信方式を適用してもかまわなく、通信方式を特定することには言及しないこととする。
【００２０】
また、図１において、固有情報提供装置２００は、制御ユニット２０１、外部通信Ｉ／Ｆ部２０２、ＲＦタグ２０３、メモリ部２０４、ＲＦリーダライタ２０５を少なくとも含んで構成されている。つまり、固有情報提供装置２００は、図示していないが、携帯情報端末１００を充電する充電ユニットや、電源ユニット、入力部、ＬＥＤやディスプレイなどの表示部など、本発明に直接関係しない回路部も含んで構成されている。
【００２１】
固有情報提供装置２００の制御ユニット２０１は、当該固有情報提供装置２００の各回路部と接続され、当該固有情報提供装置２００全体の動作を制御する機能を有する。
【００２２】
外部通信Ｉ／Ｆ部２０２は、外部の機器と当該固有情報提供装置２００との間で情報を授受するための外部インターフェースの機能を有しているが、本実施形態においては、如何なる通信方式を適用してもかまわなく、通信方式を特定することには言及しないこととする。
【００２３】
ＲＦタグ２０３は、携帯情報端末１００のＲＦリーダライタ１０５により固有情報の転送要求を書き込んだり、該転送要求に応じて、ＲＦリーダライタ２０５により携帯情報端末１００側へ転送すべき固有情報データを書き込み、携帯情報端末１００のＲＦリーダライタ１０５による読み取りが可能な状態にしたりするためのタグである。ＲＦリーダライタ２０５は、ＲＦタグ２０３に書き込まれた携帯情報端末１００の固有情報の転送要求を読み取ったり、携帯情報端末１００の固有情報データをＲＦタグ２０３に書き込んだりする機能を有する。また、メモリ部２０４は、外部通信Ｉ／Ｆ部２０２によって受信した固有情報データを、携帯情報端末１００の種類の如何によらず、あらかじめ定めたデータフォーマットにしたがって、同一のデータッフォーマットで格納する機能を有する。ただし、メモリ部２０４の記憶領域に記憶することができるデータはこの限りではなく、固有情報以外のデータを格納することも可能であるし、図示していない入力部から入力された固有情報データなどの各種データを格納することも可能である。
【００２４】
（実施形態の動作の一例の説明）
次に、図２のフローチャートを参照して、図１の携帯情報端末固有情報設定システム１の動作の一例を詳細に説明する。図２は、本発明に係る携帯情報端末固有情報設定システム１の動作の一例を表すフローチャートである。なお、固有情報提供装置２００のメモリ部２０４には、携帯情報端末１００に設定すべき固有情報があらかじめ定めたデータフォーマットにしたがってあらかじめ格納されているものとする。
【００２５】
まず、携帯情報端末１００のＲＦリーダライタ１０５から固有情報提供装置２００のＲＦタグ２０３に対して携帯情報端末１００の固有情報の転送要求となる要求データを書込む処理を行う（ステップＳ１１）。しかる後、携帯情報端末１００は、固有情報提供装置２００のＲＦタグ２０３のデータをＲＦリーダライタ１０５により読み取る動作を行い（ステップＳ１２）、ＲＦタグ２０３から当該携帯情報端末１００に設定すべき固有情報が読み取られたか否かを確認する（ステップＳ１３）。ＲＦタグ２０３から当該携帯情報端末１００に設定すべき固有情報が読み取られなかった場合は（ステップＳ１３のＮＯ）、あらかじめ定めた一定周期で、ステップＳ１２に復帰して、ＲＦタグ２０３からの固有情報の読み取り動作を繰り返す。
【００２６】
一方、固有情報提供装置２００のＲＦリーダライタ２０５は、あらかじめ定めた一定周期で、ＲＦタグ２０３のデータを読み出す動作を行っており（ステップＳ２１）、携帯情報端末１００から当該携帯情報端末１００の固有情報の転送要求データが書き込まれたか否かを確認している（ステップＳ２２）。
【００２７】
携帯情報端末１００の固有情報の転送要求データが書き込まれていなかった場合は（ステップＳ２２のＮＯ）、ステップＳ２１に復帰して、前記一定周期ごとに、ＲＦタグ２０３のデータを読み出す動作を繰り返す。一方、携帯情報端末１００の固有情報の転送要求データが書き込まれていた場合は（ステップＳ２２のＹＥＳ）、制御ユニット２０１は、固有情報提供装置２００のメモリ部２０４の所定メモリ領域から、あらかじめ定めたデータフォーマットにしたがって格納されている要求元の携帯情報端末１００に関する固有情報データを読み出す（ステップＳ２３）。
【００２８】
しかる後、読み出した当該携帯情報端末１００に関する固有情報データをＲＦリーダライタ２０５に送信し（ステップＳ２４）、ＲＦリーダライタ２０５からＲＦタグ２０３に、当該携帯情報端末１００に関する固有情報データを書き込む（ステップＳ２５）。
【００２９】
一方、携帯情報端末１００は、前述のように、固有情報提供装置２００のＲＦタグ２０３へ固有情報の転送要求データを書き込んだ後、あらかじめ定めた一定周期で、ＲＦタグ２０３のデータを読み取る処理を行い、ＲＦタグ２０３から読み取ったデータが当該携帯情報端末１００に関する固有情報か否かを判定している。
【００３０】
したがって、固有情報提供装置２００側において、ステップＳ２４の当該携帯情報端末１００に関する固有情報データを書き込み動作が終了した以降において、携帯情報端末１００のＲＦリーダライタ１０５によって、固有情報提供装置２００のＲＦタグ２０３を読み取る動作が実行された時点で、ＲＦタグ２０３から当該携帯情報端末１００に設定すべき固有情報が読み取られたことが判別されることになり（ステップＳ１３のＹＥＳ）、読み取られた当該携帯情報端末１００の固有情報は、メモリ部１０４の所定のメモリ領域に書き込まれる（ステップＳ１４）。この結果、携帯情報端末１００から固有情報提供装置２００に対して固有情報の転送要求データを送信するのみで、当該携帯情報端末１００には、要求した固有情報が、自動的に、かつ、確実に設定されることになる。
【００３１】
（本実施形態の一例の動作の効果の説明）
次に、本実施形態の一例の動作の効果について説明する。
【００３２】
第１の効果は、携帯情報端末１００に固有情報を設定する設定時間を削減することができることにある。その理由は、携帯情報端末１００からの要求を受け付けた時点で、固有情報提供装置２００のメモリ部２０４にあらかじめ定めたデータフォーマットに基づいて保存した固有情報データをＲＦタグ２０３に書き込み、書き込まれたＲＦタグ２０３の固有情報データを携帯情報端末１００側へ読み取ることにより、一度に、かつ、確実に、携帯情報端末に固有情報を設定することが可能なためである。
【００３３】
第２の効果は、携帯情報端末１００への固有情報の設定ミスを削減することができることにある。その理由は、携帯情報端末１００の種類の如何を問わず、固有情報を同じデータフォーマットで固有情報提供装置２００のメモリ部２０４の所定メモリ領域にあらかじめ設定しておき、要求された際に、メモリ部２０４から該同一データフォーマットの固有情報データをＲＦタグ２０３に書き込むことにより、該ＲＦタグ２０３のデータを携帯情報端末１００が読み取って、当該携帯情報端末１００に設定することができるので、常に、ユーザは同一フォーマットにしたがってＲＦタグ２０３に設定することが可能なためである。
【００３４】
（実施形態の動作の他の例の説明）
次に、図３のフローチャートを参照して、図１の携帯情報端末固有情報設定システム１の動作の他の例を詳細に説明する。本実施形態は、携帯情報端末１００の固有情報の転送要求を行う要求元を識別することが可能な情報を、該転送要求に含む形式とし、固有情報提供装置２００側で、該転送要求を受け付けて固有情報の転送を許可すべきか否かを制御する動作例について説明している。図３は、本発明に係る携帯情報端末固有情報設定システム１の動作の他の例を表すフローチャートであり、携帯情報端末１００に設定する固有情報の一例として、通信クレードルを介した通信形態に切り替えるか否かを示す通信設定情報を設定する場合の動作例を示している。なお、固有情報提供装置２００のメモリ部２０４には、携帯情報端末１００に設定すべき通信設定情報（通信クレードルを介して通信を行うための制御情報）が固有情報として、図２の前述の場合と同様、あらかじめ定めたデータフォーマットにしたがってあらかじめ格納されており、かつ、該通信設定情報の設定を要求する携帯情報端末１００を確認するために各携帯情報端末１００に割り当てている要求データがあらかじめ登録されているものとする。一方、固有情報の転送要求として前記通信設定情報の転送要求を送信する携帯情報端末１００は、該通信設定情報の転送要求の要求元を示す情報を含む形式の転送要求データを送信するものとする。
【００３５】
図２の場合と同様、まず、携帯情報端末１００のＲＦリーダライタ１０５から固有情報提供装置２００のＲＦタグ２０３に対して携帯情報端末１００の固有情報（つまり、本実施形態においては、通信クレードルを介した通信を行うための通信設定情報）の転送要求となる要求データを書込む処理を行う（ステップＳ３１）。しかる後、携帯情報端末１００は、固有情報提供装置２００のＲＦタグ２０３のデータをＲＦリーダライタ１０５により読み取る動作を行い（ステップＳ３２）、ＲＦタグ２０３から当該携帯情報端末１００に設定すべき固有情報が読み取られたか否かを確認する（ステップＳ３３）。ＲＦタグ２０３から当該携帯情報端末１００に設定すべき固有情報が読み取られなかった場合は（ステップＳ３３のＮＯ）、あらかじめ定めた一定周期で、ステップＳ３２に復帰して、ＲＦタグ２０３からの固有情報の読み取り動作を繰り返す。
【００３６】
一方、固有情報提供装置２００のＲＦリーダライタ２０５は、図２の場合と同様、あらかじめ定めた一定周期で、ＲＦタグ２０３のデータを読み出す動作を行っており（ステップＳ４１）、携帯情報端末１００から当該携帯情報端末１００の固有情報（つまり通信設定情報）の転送要求データが書き込まれたか否かを確認している（ステップＳ４２）。
【００３７】
携帯情報端末１００の固有情報の転送要求データが書き込まれていなかった場合は（ステップＳ４２のＮＯ）、ステップＳ４１に復帰して、前記一定周期ごとに、ＲＦタグ２０３のデータを読み出す動作を繰り返す。一方、携帯情報端末１００の固有情報の転送要求データが書き込まれていた場合は（ステップＳ４２のＹＥＳ）、次に、ＲＦタグ２０３に書き込まれた該転送要求データとメモリ部２０４にあらかじめ設定登録されている各携帯情報端末１００に関する転送要求データとの比較照合を行い（ステップＳ４３）、該転送要求データの要求元の携帯情報端末１００が、固有情報の通信設定情報に関して、通信クレードルを介した通信を行う動作モードに切り替えることが許可されている携帯情報端末としてメモリ部２０４に登録されている携帯情報端末か否かを確認する（ステップＳ４４）。
【００３８】
要求元の携帯情報端末１００が、メモリ部２０４に登録されている携帯情報端末ではなかった場合は（ステップＳ４４のＮＯ）、制御ユニット２０１は、要求を拒否して、通信クレードルの電源をＯＦＦし、通信クレードルを使用する通信が不可能な状態に設定する（ステップＳ４７）。
【００３９】
一方、要求元の携帯情報端末１００が、メモリ部２０４に登録されている携帯情報端末であった場合は（ステップＳ４４のＹＥＳ）、制御ユニット２０１は、固有情報提供装置２００のメモリ部２０４の所定メモリ領域から、あらかじめ定めたデータフォーマットで固有情報データとして格納されている通信設定情報例えば通信クレードルを介して通信可能とする通信設定情報を読み出して、ＲＦリーダライタ２０５に送信する（ステップＳ４５）。しかる後、ＲＦリーダライタ２０５からＲＦタグ２０３に、当該携帯情報端末１００に関する通信設定情報を固有情報データとして書き込む（ステップＳ４６）。
【００４０】
一方、携帯情報端末１００は、前述のように、固有情報提供装置２００のＲＦタグ２０３へ通信設定情報すなわち固有情報の転送要求データを書き込んだ後、あらかじめ定めた一定周期で、ＲＦタグ２０３のデータを読み取る処理を行い、ＲＦタグ２０３から読み取ったデータが当該携帯情報端末１００に関する固有情報（つまり通信設定情報）か否かを判定している。
【００４１】
したがって、固有情報提供装置２００側において、ステップＳ２４の当該携帯情報端末１００に関する通信設定情報を固有情報データとして書き込み動作が終了した以降において、携帯情報端末１００のＲＦリーダライタ１０５によって、固有情報提供装置２００のＲＦタグ２０３を読み取る動作が実行された時点で、ＲＦタグ２０３から当該携帯情報端末１００に設定すべき固有情報の通信設定情報が読み取られたことが判別されることになり（ステップＳ３３のＹＥＳ）、読み取られた当該携帯情報端末１００の通信設定情報は、メモリ部１０４の所定のメモリ領域に書き込まれ、以降の通信の設定を通信クレードルを介した通信に切り替える（ステップＳ３４）。この結果、携帯情報端末１００から固有情報提供装置２００に対して、要求元が識別可能な情報を含む転送要求データを送信するのみで、当該携帯情報端末１００には、固有情報が、例えば、本実施形態では通信クレードルを介した通信設定情報が、自動的に、かつ、確実に、さらに、不正な利用を防止可能な形態で設定され、通信クレードルを利用した通信が可能な状態になる。
【００４２】
（本実施形態の他の例の動作の効果の説明）
次に、図３の実施形態の動作の場合の効果について説明する。本動作例においては、携帯情報端末１００の動作モードの不正な設定を防止することができることにある。その理由は、固有情報の転送要求に要求元の携帯情報端末１００を識別可能な情報を含んでおり、固有情報提供装置２００側にて、転送要求を受け付けて固有情報の転送が許可された携帯情報端末１００であるか否かを判別することができるためである。
【００４３】
したがって、例えば、固有情報として通信クレードルを利用した通信を行うか否かを決定する通信設定情報を設定する場合、固有情報提供装置２００側にて、携帯情報端末１００にあらかじめ設定されている通信設定用の要求データ情報を受け取った際に、固有情報提供装置２００に通信モードの切り替えを許可する端末としてあらかじめ登録されている携帯情報端末の要求データ情報と、ＲＦタグ２０３を介して、比較することにより、通信モードの設定が許可された携帯情報端末１００か否かを判別して、通信の切り替えを許可するか否かを判断することができ、もって、不正な設定動作を防止することができる。
【００４４】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。例えば、本発明の実施態様は課題を解決するための手段における構成（１）に加えて、次のような構成として表現できる。
【００４５】
（２）前記固有情報の転送要求が要求元の前記携帯情報端末を識別可能な情報を含む形式であり、前記固有情報提供装置は、前記固有情報の転送要求を受け取った際に、要求元の前記携帯情報端末が前記固有情報の転送が許可された携帯情報端末であるか否かを判別し、許可された携帯情報端末であった場合に、前記固有情報を要求元の前記携帯情報端末に転送する上記（１）の携帯情報端末固有情報設定システム。
（３）前記固有情報提供装置は、ＲＦタグと該ＲＦタグのデータを読み書きするＲＦリーダライタとを備え、かつ、前記携帯情報端末は、前記ＲＦタグのデータを読み書きする端末側ＲＦリーダライタを備え、前記携帯情報端末が、前記固有情報の転送要求を行う際に、前記端末側ＲＦリーダライタによって該固有情報の転送要求を前記ＲＦタグに書き込み、前記固有情報提供装置は、あらかじめ定めた一定周期で、前記ＲＦタグのデータを前記ＲＦリーダライタによって読み取る動作を行うことにより、前記携帯情報端末からの前記固有情報の転送要求があったことを判別する上記（１）または（２）の携帯情報端末固有情報設定システム。
（４）前記固有情報提供装置は、前記携帯情報端末からの前記固有情報の転送要求があったことを判別した際に、あるいは、さらに、転送要求元の前記携帯情報端末が前記固有情報の転送が許可された携帯情報端末であった場合、前記メモリ部にあらかじめ定めたデータフォーマットに基づいて保存されていた前記固有情報を読み出して、前記ＲＦリーダライタによって前記ＲＦタグに書き込むことにより、前記固有情報を要求元の前記携帯情報端末に転送可能な状態とする上記（３）の携帯情報端末固有情報設定システム。
（５）前記携帯情報端末は、あらかじめ定めた一定周期で、前記ＲＦタグのデータを前記端末用ＲＦリーダライタによって読み取る動作を行うことにより、前記固有情報が前記ＲＦタグに書き込まれているか否かを判別し、書き込まれていた場合に、該固有情報を当該携帯情報端末に設定する上記（４）の携帯情報端末固有情報設定システム。
（６）前記固有情報として、前記携帯情報端末が通信クレードルを用いた通信を行うか否かを決定する情報を、少なくとも含む上記（１）ないし（５）のいずれかの携帯情報端末固有情報設定システム。
（７）設定された固有情報に基づいて動作モードが決定される携帯情報端末であって、前記固有情報をあらかじめ定めたデータフォーマットに基づいてあらかじめ保存している固有情報提供装置に対して、前記固有情報の転送要求を行うことにより、前記固有情報提供装置から転送された前記固有情報を設定する携帯情報端末。
（８）前記固有情報の転送要求が要求元の識別が可能な情報を含む形式である上記（７）の携帯情報端末。
（９）前記固有情報提供装置のＲＦタグのデータを読み書きする端末側ＲＦリーダライタを備え、該端末側ＲＦリーダライタによって前記ＲＦタグに前記固有情報の転送要求を書き込むことにより、前記固有情報提供装置に前記固有情報の転送を要求する上記（７）または（８）の携帯情報端末。
（１０）あらかじめ定めた一定周期で、前記ＲＦタグのデータを前記端末用ＲＦリーダライタによって読み取る動作を行うことにより、前記固有情報が前記ＲＦタグに書き込まれているか否かを判別し、書き込まれていた場合に、該固有情報を当該携帯情報端末に設定する上記（９）の携帯情報端末。
（１１）設定された固有情報に基づいて動作モードが決定される携帯情報端末から、前記固有情報をあらかじめ定めたデータフォーマットに基づいてあらかじめ保存している固有情報提供装置に対して、前記固有情報の転送要求を行うことにより、前記固有情報提供装置から転送された前記固有情報を前記携帯情報端末に設定する携帯情報端末固有情報設定方法。
（１２）前記固有情報の転送要求が要求元の前記携帯情報端末を識別可能な情報を含む形式であり、前記固有情報提供装置が、前記固有情報の転送要求に基づいて要求元の前記携帯情報端末が前記固有情報の転送が許可された携帯情報端末であるか否かを判別し、許可された携帯情報端末であった場合に、前記固有情報を要求元の前記携帯情報端末に転送する上記（１１）の携帯情報端末固有情報設定方法。
（１３）前記固有情報提供装置はＲＦタグを備え、前記携帯情報端末は、前記固有情報の転送要求を前記ＲＦタグに書き込み、前記固有情報提供装置は、あらかじめ定めた一定周期で、前記ＲＦタグのデータを読み取る動作を行うことにより、前記携帯情報端末からの前記固有情報の転送要求があったことを判別する上記（１１）または（１２）の携帯情報端末固有情報設定方法。
（１４）前記固有情報提供装置は、前記携帯情報端末からの前記固有情報の転送要求があったことを判別した際に、あるいは、さらに、転送要求元の前記携帯情報端末が前記固有情報の転送が許可された携帯情報端末であった場合、あらかじめ定めたデータフォーマットに基づいて保存されていた前記固有情報を前記ＲＦタグに書き込むことにより、要求元の前記携帯情報端末に前記固有情報を転送可能な状態とする上記（１３）の携帯情報端末固有情報設定方法。
（１５）前記携帯情報端末は、あらかじめ定めた一定周期で、前記ＲＦタグのデータを読み取る動作を行うことにより、前記固有情報が前記ＲＦタグに書き込まれているか否かを判別し、書き込まれていた場合に、該固有情報を当該携帯情報端末に設定する上記（１４）の携帯情報端末固有情報設定方法。
（１６）上記（１１）ないし（１５）のいずれかの携帯情報端末固有情報設定方法を、コンピュータにより実行可能なプログラムとして実施している固有情報設定プログラム。
（１７）上記（１６）の固有情報設定プログラムを、コンピュータにより読み取り可能な記録媒体に記録しているプログラム記録媒体。
【図面の簡単な説明】
【００４６】
【図１】本発明に係る携帯情報端末固有情報設定システムの一実施形態の構成例を示すシステム構成図である。
【図２】本発明に係る携帯情報端末固有情報設定システムの動作の一例を表すフローチャートである。
【図３】本発明に係る携帯情報端末固有情報設定システム１の動作の他の例を表すフローチャートである。
【符号の説明】
【００４７】
１          携帯情報端末固有情報設定システム
１００      携帯情報端末
１０１      制御ユニット
１０２      表示部
１０３      入力部
１０４      メモリ部
１０５      ＲＦリーダライタ
１０６      外部通信Ｉ／Ｆ部
２００      固有情報提供装置
２０１      制御ユニット
２０２      外部通信Ｉ／Ｆ部
２０３      ＲＦタグ
２０４      メモリ部
２０５      ＲＦリーダライタ
【図１】
2009055505.tif 000003
【図２】
2009055505.tif 000004
【図３】
2009055505.tif 000005